(57)【要約】【課題】簡単な構成にて、洋服の襟に設けた襟穴に容易に装着可能とするとともに装飾部の脱落を防止できる襟章用装身具を提供する。【解決手段】洋服の襟１に付ける襟章用装身具３は、装飾部４と、停止部材５と、係留部材６と、固定具８とからなり、装飾部４は、表面側に装飾が施された飾り部９と、飾り部９の背面側に設けられた針部材１０とからなり、停止部材５は、円盤形状にて、針部材５を貫通させる貫通部１１を有してなり、係留部材６は、鎖にて装飾部４と停止部材５とを連結してなり、固定８具は、針部材１０を挿入可能な挿入孔１２を有して、該挿入孔に挿入した針部材１０を操作ボタン７、７ａにて固定可能で、かつ、その固定状態を解消して挿入孔１２からの針部材１０の脱出を可能としてなり、固定具８が脱落しても停止部材５が襟穴２にて止まり、装飾部４の脱落が防止できる。【選択図】図２
0003130157.tif 000002
【実用新案登録請求の範囲】
【請求項１】
洋服の襟に設けた襟穴に装着して使用する襟章用装身具であって、該襟章用装身具は、装飾部と、停止部材と、係留部材と、固定具との構成からなり、
前記装飾部は、表面側に装飾が施された飾り部と、該飾り部の背面側に針が後方に突出して設けられた針部材とを有してなり、
前記停止部材は、襟穴に対して水平方向は挿通可能とし、垂直方向は挿通不可とした形状にて、前記針部材を貫通させる貫通部を有してなり、
前記係留部材は、紐状体にて前記装飾部と前記停止部材とを連結してなり、
固定具は、前記針部材を挿入可能な挿入孔を有して、該挿入孔に挿入した針部材を固定可能で、かつ、その固定状態を解消して挿入孔からの針部材の脱出を可能としてなり、
装着時に前記固定具が装飾部の針部材より脱落しても、前記装飾部と前記停止部材が係留部材にて係留されているので停止部材が襟穴にて止まることで装飾部の紛失を防止できることを特徴とする襟章用装身具。
【請求項２】
洋服の襟に設けた襟穴に装着して使用する襟章用装身具であって、該襟章用装身具は、装飾部と、停止部材と、係留部材と、固定具との構成からなり、
前記装飾部は、表面側に装飾が施された飾り部と、該飾り部の背面側に雄ネジが施され後方に突出して設けられたネジ棒とを有してなり、
前記停止部材は、襟穴に対して水平方向は挿通可能とし、垂直方向は挿通不可とした形状にて、前記ネジ棒を貫通させる貫通部を有してなり、
前記係留部材は、紐状体にて前記装飾部と前記停止部材とを連結してなり、
固定具は、前記ネジ棒に嵌り合うように雌ネジが施されてなり、
装着時に前記固定具が装飾部のネジ棒より脱落しても、前記装飾部と前記停止部材が係留部材にて係留されているので停止部材が襟穴にて止まることで装飾部の紛失を防止できることを特徴とする襟章用装身具。
【請求項３】
洋服の襟に設けた襟穴に装着して使用する襟章用装身具であって、該襟章用装身具は請求項１または請求項２の何れかに記載されたものであり、
前記係留部材である紐状体は、一端が前記停止部材と連結され、他端は通孔部を設けた環状弾性体を有する連結体と連結され、該連結体と、前記針部材または前記ネジ棒の何れかが前記弾性体にて弾性的に保持されて前記装飾部とを連結することを特徴とした襟章用装身具。
【考案の詳細な説明】
【技術分野】
【０００１】
本考案は、洋服の襟に設けた襟穴に装着して使用する襟章用装身具に関するものである。
【背景技術】
【０００２】
従来、洋服の襟に設けた襟穴に装着して使用する襟章の構成としては、襟章部の背面に設けた針部と、該針部を挿入可能な挿入孔を有して、該挿入孔に挿入した針部を固定する固定具とからなるもの、
また襟章部の背面に設けた雄ネジを施したネジ棒に該ネジ棒に嵌り合う雌ネジが施されたナットを用いるのが一般的な構成として知られている。
【０００３】
そして、近年、階級、所属などを示す記章とするだけではなく、一つのファッション的要素を持ち合わせた装身具として用いられ、襟章部を貴金属にて製作し、高価な宝石を施したキャラクター等のデザインを用いたものが好まれるようになっている。
【０００４】
しかしながら上記の襟章は装着中に固定具または雌ネジが外れ落ち易く、それにより襟章部も洋服の襟より外れ落ちて紛失する欠点があった。
その中で、背面に針部を設けた襟章類で、上記問題点を解消しようとするものとして、
「宝飾品やバッジなどの身飾品を衣服に留める留め具であって、該身飾品の背面のほぼ中央部ないし上側の部位から下側に垂れたピンを有しており、該ピンの長さが、該身飾品より下側に延びている衣服への留め具」とした特許文献がある（例えば特許文献１参照。）。
【０００５】
また、背面に雄ネジを設けた襟章で上記問題点を解消しようとするものとして、
「襟章を表向きにせず裏にして付けたときに、固定具に宝石を付るとともに、金属等で形造った物をかぶせる等して棒ネジをカバーした事と、襟章又は固定具が落ちないようチェーンを付けた事を特徴とする襟章用固定具。」とした特許文献がある（例えば特許文献２参照。）。
【０００６】
しかしながら、特許文献１の衣服への留め具は、「身飾品の背面のほぼ中央部ないし上側の部位から下側に垂れたピンを有しており、該ピンの長さが、該身飾品より下側に延びている」構成であるが為に、ピンの下端が挿入支持される固定具を用いた場合、ピンが下側に向いている為に該固定具が落下し易く、また、固定具が無い場合は、ピンの長さが長い為に何かのはずみでピンが危険となる虞がある。
【０００７】
また、特許文献２の襟章用固定具は、「襟章本体のネジ棒に、固定具からなるチェーンの先に付いている輪を通し、次に洋服の襟をはさんでから内部にネジが切ってある固定具を留める。」構成であるが為に、固定具が外れた場合には、洋服の襟に設けた襟穴より襟章本体が落下し、その際にネジ棒に通した輪が外れ易く、襟章本体を紛失する虞がある。  
【０００８】
【特許文献１】特開平１１−２４４０１１号公報
【特許文献２】登録実用新案第３００４０８６号公報
【考案の開示】
【考案が解決しようとする課題】
【０００９】
前記事項を鑑み解決しようとする問題点は、簡単な構成で、洋服の襟に設けた襟穴に容易に装着可能とするとともに装飾部の紛失が防止できる襟章用装身具を提供する。
【課題を解決するための手段】
【００１０】
上記課題を解決するために請求項１に係わる考案は、襟章用装身具は、装飾部と、停止部材と、係留部材と、固定具との構成からなり、前記装飾部は、表面側に装飾が施された飾り部と、該飾り部の背面側に針が後方に突出して設けられた針部材とを有してなり、前記停止部材は、襟穴に対して水平方向は挿通可能とし、垂直方向は挿通不可とした形状にて、前記針部材を貫通させる貫通部を有してなり、前記係留部材は、紐状体にて前記装飾部と前記停止部材とを連結してなり、固定具は、前記針部材を挿入可能な挿入孔を有して、該挿入孔に挿入した針部材を固定可能で、かつ、その固定状態を解消して挿入孔からの針部材の脱出を可能としてなるものである。
【００１１】
また、請求項２に係わる考案は、章用装身具は、装飾部と、停止部材と、係留部材と、固定具との構成からなり、前記装飾部は、表面側に装飾が施された飾り部と、該飾り部の背面側に雄ネジが施され後方に突出して設けられたネジ棒とを有してなり、前記停止部材は、襟穴に対して水平方向は挿通可能とし、垂直方向は挿通不可とした形状にて、前記ネジ棒を貫通させる貫通部を有してなり、前記係留部材は、紐状体にて前記装飾部と前記停止部材とを連結してなり、固定具は、前記ネジ棒に嵌り合うように雌ネジが施されてなるものである。
【００１２】
また、請求項３に係わる考案は、襟章用装身具は請求項１または請求項２の何れかに記載されたものであり、前記係留部材である紐状体は、一端が前記停止部材と連結され、他端は通孔部を設けた環状弾性体を有する連結体と連結され、該連結体と、前記針部材または前記ネジ棒の何れかが前記弾性体にて弾性的に保持されて前記装飾部とを連結してなるものである。
【００１３】
上記により、前記固定具が装着時に装飾部の針部材またはネジ棒より脱落しても、固定具は紛失するが、前記装飾部と前記停止部材が係留部材にて係留されて停止部材が襟穴にて止まることで装飾部の紛失が防止できるものである。
【００１４】
また、本考案に用いた前記停止部材の特徴としては、針部材またはネジ棒を貫通させる貫通部を有するとともに襟穴の横幅に対して、前記停止部材は水平方向である厚さ、幅または径は、挿通可能として小さく、襟穴の縦幅に対して、垂直方向である長さは、挿通不可として長くした形状とするものである。
【００１５】
また、本考案に用いた前記環状弾性体は、弾性ゴムにて通孔部は前記針部材または前記ネジ棒の径より小さく設け、当該弾性体を有する連結体の貫通孔は前記針部材または前記ネジ棒の径より大きく設けてなるものである。
【考案の効果】
【００１６】
以上述べたように、本考案の襟章用装身具は、装飾部と停止部材が係留部材にて係留されて、停止部材が襟穴にて止まる構成としたことで固定具が装着時に装飾部の針部材より脱落しても、装飾部の紛失を抑止することができた。
【００１７】
また、従来の装飾部と、固定具の構成からなる襟章用装身具に対して、一端が前記停止部材と連結され、他端は環状弾性体を有する連結体と連結した係留部材を用いることで、簡単な構成にて装飾部の脱落を抑止することができた。
【考案を実施するための最良の形態】
【００１８】
以下、本考案の目的である簡単な構成で、洋服の襟に設けた襟穴に容易に装着可能とするとともに装飾部の紛失が防止できる襟章用装身具は、図面を用いて詳細に説明する。
【００１９】
図１は、請求項１に係わる襟章用装身具の実施例を示す斜視図であり、襟章用装身具３は、装飾部４と、停止部材５と、係留部材６と、固定具８とから構成し、装飾部４は、表面側に装飾が施された飾り部９と、該飾り部の背面側に針が後方に突出して設けられた針部材１０とを設けて形成し、停止部材５は、襟穴２に対して水平方向は挿通可能とし、垂直方向は挿通不可とした円盤形状にて、係留部材６の一端と連結されており、針部材１０を貫通させる貫通部１１、１１ａ、１１ｂ、１１ｃを設けて形成し、係留部材６は、一端が停止部材５と連結、他端は装飾部４と連結させる紐状体であるチェーンにて形成し、
固定具８は、針部材１０を挿入可能な挿入孔１２を有して、該挿入孔に挿入した針部材１０をバネの弾性力にて固定可能で、かつ、操作ボタン７、７ａを押し圧することで固定状態を解消して挿入孔１２からの針部材の脱出を可能とするもので、当該固定具は、石福ジュエリーパーツ株式会社が販売するタイタックキャッチ製品番号ＭＴＣ−ＶＲを用いた。
【００２０】
図２は、図１の襟章用装身具３を襟穴２に装着した状態を示す図であり、該図面にて本考案の襟章用装身具の着用時の構成を説明する。
洋服の襟１は、断面状態で示すものであり、最初に洋服の襟１の表側より、襟穴２に停止部材５を挿通させることで、停止部材と連結している係留部材６であるチェーンが洋服の襟１を貫通した状態となるとともに停止部材５は吊り下げ状態での配置となり、
次に、装飾部４に設けた針部材１０を襟穴２に挿通することで洋服の襟１の裏表側に針部材１０が突出した状態での配置となり、
次に、停止部材５の貫通部１１〜１１ｃの何れかの貫通部に突出した針部材１０を貫通させることで針部材１０にて吊り下がった状態での配置となり、
次に、突出した針部材１０に、固定具８を挿入孔１２より挿入して固定具８を配置することで襟章用装身具３が洋服の襟１に設けた襟穴２に装着できる。
【００２１】
図３は、襟章用装身具３は装着時に、固定具８が装飾部４の針部材１０より脱落しても、装飾部４と停止部材５が係留部材６にて係留されているので停止部材５が襟穴２にて止まり、装飾部４の紛失を防止した状態を示し、固定具８は落下状態を示す。
【００２２】
装飾部４は、近年、階級、所属などを示す記章とするだけではなく、一つのファッション的要素を持ち合わせた装身具として用いられ、装飾部４を貴金属にて製作して高価な宝石を施したキャラクター等のデザインを用いたものが好まれ、装着者が紛失した場合は、入手が難しく大きな損失となり失望の念に陥っている。それに対して固定具は、真鍮にメッキを施した市販ものが使用されているために固定具８を紛失しても入手が容易であるのが現状である。
【００２３】
尚、前記実施例において、装飾部４に環を取り付けて、該環と係留部材６であるチェーンと連結したが、当該連結手段は限定するものではなく、図示は省略したが、例えば、針部材１０の径より０．１ｍｍ〜０．５ｍｍの範囲で小さい内径のコイルバネからなる連結環を用いて、該連結環とチェーンの一端とを連結するとともにチェーンの他端と停止部材５とを連結して係留部材６を形成し、針部材１０にコイルバネからなる連結環をねじ込んで嵌合させて、装飾部４と停止部材５とが係留部材６にて係留する構成としてもよい。
【００２４】
図４は、請求項２に係わる襟章用装身具の実施例を示す斜視図であり、襟章用装身具３ａは、装飾部４ａと、停止部材５と、係留部材６と、固定具１４から構成し、装飾部４ａは、表面側に装飾が施された飾り部９ａと、該飾り部の背面側に雄ネジが施され後方に突出して設けられたネジ棒１３とを設けて形成し、停止部材５は、襟穴２に対して水平方向は挿通可能とし、垂直方向は挿通不可とした円盤形状にて、係留部材６の一端と連結されており、ネジ棒１３を貫通させる貫通部１１、１１ａ、１１ｂ、１１ｃを設けて形成し、
係留部材６は、一端が停止部材５と連結、他端は装飾部４ａと連結させる紐状体であるチェーンにて形成し、固定具１４は、前記ネジ棒に嵌り合うように雌ネジ１５を施して形成した。当該固定具は、石福ジュエリーパーツ株式会社が販売するバッチ用金具製品番号ＭＢＮを用いた。
【００２５】
襟章用装身具３ａを襟穴２に装着した状態の図示及び装飾部４ａの紛失を防止できる図示は省略したが、装着した状態は図２を、紛失を防止状態は図３を用いて参考とすることができる。
【００２６】
図５は、他の形状の停止部材５ａの実施例を正面図（ａ）、右側面図（ｂ）で示し、針部材またはネジ棒を貫通させる貫通部１１ａと１１ｂを有し、当該貫通部の間部分にて係留部材６と連結可能とし、襟穴の横幅に対して、停止部材５ａは、水平方向である厚さ、幅は挿通可能として小さく、襟穴の縦幅に対して、垂直方向である長さは挿通不可として長くした略矩形の板形状とすることにより製作にかかる工数を少なくしたものである。
【００２７】
図６は、請求項３に係わる針部材１０ｂを用いた襟章用装身具３ｂの実施例を示す斜視図であり、襟章用装身具３ｂは、装飾部４ｂと、停止部材５と、係留部材６と、固定具８とから構成し、装飾部４ｂは、表面側に装飾が施された飾り部９ｂと、該飾り部の背面側に針が後方に突出して設けられた針部材１０ｂとを設けて形成し、停止部材５は、襟穴２に対して水平方向は挿通可能とし、垂直方向は挿通不可とした円盤形状にて、針部材１０を貫通させる貫通部１１、１１ａ、１１ｂ、１１ｃを設けて形成し、係留部材６は、紐状体であるチェーンを用いて、一端が停止部材５と連結され、他端は通孔部１６を設けた環状弾性体１７を有する連結体１８と連結され、該連結体と、針部材１０ｂが環状弾性体１７にて弾性的に保持されて装飾部４ｂとの連結を可能とし、固定具８は、針部材１０を挿入可能な挿入孔１２を有して、該挿入孔に挿入した針部材１０をバネの弾性力にて固定可能で、かつ、操作ボタン７、７ａを押し圧することで固定状態を解消して挿入孔１２からの針部材の脱出を可能とするものである。
【００２８】
固定具８は、石福ジュエリーパーツ株式会社が販売するタイタックキャッチ製品番号ＭＴＣ−ＶＲを用いた。
【００２９】
また、針部材１０をネジ棒１３に置き換え、固定具８を固定具１４に置き換えることで針部材１０ｂを用いた襟章用装身具３ｂをネジ棒１３に置き換えることができる。
【００３０】
図７は、（ａ）を連結体１８、（ｂ）を環状弾性体１７で示す拡大斜視図であり、弾性体を有する連結体１８の貫通孔１９は針部材１０ｂまたはネジ棒１３の径より大きく設け、環状弾性体１７は、弾性ゴムにて通孔部１６は、針部材１０ｂまたはネジ棒１３の径より小さく設けて形成した。
【図面の簡単な説明】
【００３１】
【図１】請求項１に係わる襟章用装身具の実施例を示す斜視図である。
【図２】図１の襟章用装身具を襟穴に装着した状態を示す図である。
【図３】停止部材により装飾部の脱落を防止した状態を示す図である。
【図４】請求項２に係わる襟章用装身具の実施例を示す斜視図である。
【図５】他の停止部材の実施例を示す拡大図である。
【図６】請求項３に係わる襟章用装身具の実施例を示す斜視図である。
【図７】連結体の構成を示す拡大斜視図である。
【符号の説明】
【００３２】
１    洋服の襟
２    襟穴
３    襟章用装身具
４    装飾部
５    停止部材
６    係留部材
７    操作ボタン
８    固定具
９    飾り部  
１０    針部材
１１    貫通部    
１２    挿入孔
１３    ネジ棒    
１４    固定具
１５    雌ネジ
１６    通孔部
１７    環状弾性体
１８    連結体
１９    貫通孔
【図１】
0003130157.tif 000003
【図２】
0003130157.tif 000004
【図３】
0003130157.tif 000005
【図４】
0003130157.tif 000006
【図５】
0003130157.tif 000007
【図６】
0003130157.tif 000008
【図７】
0003130157.tif 000009